(57)【特許請求の範囲】
【請求項１】
座部と傾倒可能な背凭れ部を備える椅子式マッサージ機であって、
前記座部の骨格となる座フレームと、
前記座部に対し立設又は傾倒する背凭れ部の骨格となる背フレームと、
前記座フレームと前記背フレームとの間に、前記座フレーム及び前記背フレームに対して回動可能に設けられた連結フレームと、
前記連結フレームの被施療者側に設けられた施療部を備え、
前記背フレームが、前記座フレームに対して立設している状態から前記座フレームに対して成す角度が大きくなるよう傾倒するときに、
前記連結フレームが回動して、前記施療部が被施療者側に向かって上昇することを特徴とする椅子式マッサージ機。
【請求項２】
前記連結フレームが、前記座フレームの前記背フレーム側と前記背フレームの一端側に回動軸により軸支されていることを特徴とする請求項１に記載の椅子式マッサージ機。
【請求項３】
前記施療部が、着座した被施療者の左右方向に複数並設されていることを特徴とする請求項１又は請求項２に記載の椅子式マッサージ機。
【請求項４】
前記背フレームが、前記座フレームに対して略直角に立設しているとき、前記施療部が前記座フレームに対して傾斜して被施療者に当接しない位置に退避していることを特徴とする請求項１から請求項３のいずれか一つに記載の椅子式マッサージ機。
【請求項５】
前記施療部が、空気による膨張及び収縮を反復可能であるエアーバッグであることを特徴とする請求項１から請求項４のいずれか一つに記載の椅子式マッサージ機。
【請求項６】
前記エアーバッグにおいて、その被施療者側に突出する突出部が設けられていることを特徴とする請求項５に記載の椅子式マッサージ機。
【請求項７】
前記施療部が、被施療者を押圧する施療子であることを特徴とする請求項１から請求項４のいずれか一つに記載の椅子式マッサージ機。
【請求項８】
前記施療部が、被施療者に振動を与える振動器であることを特徴とする請求項１から請求項４のいずれか一つに記載の椅子式マッサージ機。
【請求項９】
前記施療部が、空気による膨張及び収縮を反復可能であるエアーバッグ、被施療者を押圧する施療子、被施療者に振動を与える振動器から選ばれる少なくとも２つからなることを特徴とする請求項１から請求項４のいずれか一つに記載の椅子式マッサージ機。
【発明の詳細な説明】
【技術分野】
【０００１】
本発明は、被施療者が座る座部と、被施療者が凭れ掛けることができる背凭れ部などを備えた椅子式マッサージ機であって、背凭れ部を任意に傾倒させることができる椅子式マッサージ機に関するものである。
【背景技術】
【０００２】
従来、椅子式マッサージ機において、傾倒可能な背凭れ部、座部、肘掛部などを具備し、人体の腰部、背部、頸部、臀部、腕部などをマッサージするために電力により駆動する揉み玉や、圧縮空気を用いた空気圧の変化によって膨張又は収縮する袋体が内装されたものが広く知られている。
【０００３】
例えば、特許文献１には、腰掛けを可能とする座部と、後方へ傾動可能な背もたれ部などを備え、座部の骨組みとなる座フレームが、背もたれ部の骨組みとなる背フレームと連結されており、背フレームの傾動に伴って前方へ移動しうるマッサージ椅子が開示されている。このマッサージ椅子では、背もたれ部を後方へ倒した姿勢でマッサージを受けたい場合には、座部を前方に移動させることにより、座部と連動するリクライニング用の伸縮機構が駆動して、背もたれ部が倒れることも開示されている。
【先行技術文献】
【特許文献】
【０００４】
【特許文献１】特開２０１４−１１３３４０号
【発明の概要】
【発明が解決しようとする課題】
【０００５】
しかしながら、特許文献１のマッサージ機では、背もたれ部が立設している状態において被施療者が背もたれ部に設けられた施療具によりマッサージを受けていた腰部、臀部などの施療部分は、座部を前方に動かして背もたれ部が徐々に倒れるに従って、マッサージ機の回動中心と被施療者の回動中心がずれているため腰部から背部、臀部から腰部または背部などへと上方へ移動することとなる。このため、背もたれ部が立設している状態で被施療者がマッサージを受けていた部分を、背もたれ部が倒れることにより施療することが困難であり、十分なマッサージ効果が得られないという課題があった。
【０００６】
本発明は、上記の問題点に鑑みて発明されたものであり、被施療者が座る座部と、被施療者が凭れ掛けることができる背凭れ部などを備えた椅子式マッサージ機であって、背凭れ部が立設している状態において、被施療者が背凭れ部などに設けられた施療具によりマッサージを受けていた腰部、臀部などの施療部分を、背凭れ部が倒れて座部が移動したときであっても、適切にマッサージを行うことができる椅子式マッサージ機を提供することを課題とする。
【課題を解決するための手段】
【０００７】
〔１〕すなわち、本発明は、座部と傾倒可能な背凭れ部を備える椅子式マッサージ機であって、前記座部の骨格となる座フレームと、前記座部に対し立設又は傾倒する背凭れ部の骨格となる背フレームと、前記座フレームと前記背フレームとの間に、前記座フレーム及び前記背フレームに対して回動可能に設けられた連結フレームと、前記連結フレームの被施療者側に設けられた施療部を備え、前記背フレームが、前記座フレームに対して略直角に立設している状態から前記座フレームに対して成す角度が大きくなるよう傾倒するに伴い、前記連結フレームが回動して、前記施療部が、被施療者側に向かって上昇することを特徴とする椅子式マッサージ機である。
【０００８】
〔２〕そして、前記連結フレームが、前記座フレームの前記背フレーム側と前記背フレームの一端側に回動軸により軸支されていることを特徴とする前記〔１〕に記載の椅子式マッサージ機である。
【０００９】
〔３〕そして、前記施療部が、着座した被施療者の左右方向に複数並設されていることを特徴とする前記〔１〕又は前記〔２〕に記載の椅子式マッサージ機である。
【００１０】
〔４〕そして、前記背フレームが、前記座フレームに対して略直角に立設しているとき、前記施療部が前記座フレームに対して傾斜して被施療者に当接しない位置に退避していることを特徴とする前記〔１〕から前記〔３〕のいずれか一つに記載の椅子式マッサージ機である。
【００１１】
〔５〕そして、前記施療部が、空気による膨張及び収縮を反復可能であるエアーバッグであることを特徴とする前記〔１〕から前記〔４〕のいずれか一つに記載の椅子式マッサージ機である。
【００１２】
〔６〕そして、前記エアーバッグにおいて、その被施療者側に突出する突出部が設けられていることを特徴とする前記〔５〕に記載の椅子式マッサージ機。
【００１３】
〔７〕そして、前記施療部が、被施療者を押圧する施療子であることを特徴とする前記〔１〕から前記〔４〕のいずれか一つに記載の椅子式マッサージ機である。
【００１４】
〔８〕そして、前記施療部が、被施療者に振動を与える振動器であることを特徴とする前記〔１〕から前記〔４〕のいずれか一つに記載の椅子式マッサージ機である。
【００１５】
〔９〕そして、前記施療部が、空気による膨張及び収縮を反復可能であるエアーバッグ、被施療者を押圧する施療子、被施療者に振動を与える振動器から選ばれる少なくとも２つからなることを特徴とする前記〔１〕から前記〔４〕のいずれか一つに記載の椅子式マッサージ機
【発明の効果】
【００１６】
本発明の椅子式マッサージ機によれば、背凭れ部が立設している状態において、被施療者が背凭れ部などに設けられた施療具によりマッサージを受けていた腰部、臀部などの施療部分を、背凭れ部が倒れて座部が移動したときであっても、適切にマッサージを行うことができる。
【図面の簡単な説明】
【００１７】
【図１】本件発明の椅子式マッサージ機の一実施形態を示す全体斜視図である。
【図２】本件発明の椅子式マッサージ機の外装カバーを一部外した状態の一実施形態を示す全体斜視図である。
【図３】本件発明の椅子式マッサージ機の外装カバーを一部外した状態の一実施形態を示す平面図である。
【図４】本件発明の椅子式マッサージ機の外装カバーを外した状態の一実施形態を示すＡ−Ａ線断面図である。
【図５】本件発明の椅子式マッサージ機の外装カバーを外した状態の背凭れ部を傾倒させた一実施形態を示す斜視図である。
【図６】本件発明の椅子式マッサージ機の外装カバーを外した状態の背凭れ部を傾倒させた一実施形態を示す平面図。
【図７】本件発明の椅子式マッサージ機の外装カバーを外した状態の背凭れ部を傾倒させた一実施形態を示すＢ−Ｂ線断面図である。
【発明を実施するための形態】
【００１８】
以下、本発明の椅子式マッサージ機を、図面に示す一実施形態に基づいてこれを詳細に説明する。図１は本件発明の椅子式マッサージ機の一実施形態を示す全体斜視図である。そして、図２から図４は、本件発明の椅子式マッサージ機の外装カバーを外した状態において、背凭れ部が立設しているときの一実施形態を示す全体斜視図、平面図、Ａ−Ａ線断面図である。図５から図７は、本件発明の椅子式マッサージ機の外装カバーを外した状態において、背凭れ部が傾倒しているときの一実施形態を示す全体斜視図、平面図、Ｂ−Ｂ線断面図である。なお、多くの図で外装カバーを外した状態の形態として示しているのは、各構成を説明しやすくするためである。また、説明中における前後方向、左右方向、上下方向は、座部に着座した被施療者を基準としており、図４における左側が前方、右側が後方、紙面手前側が左方向、紙面奥側が右方向、上側が上方、下側が下方に相当する。
【００１９】
本件発明の椅子式マッサージ機は、図１に示すように座部１と、背凭れ部２と、座部１の左右に配置された肘掛け部５と、座部１及び肘掛け部５の前方、すなわち被施療者が座部１に着座としたときに顔が向いている方向に、脚載置部６が座部１に近設されている。そして、座部１と、背凭れ部２と、肘掛け部５、脚載置部６の土台となる基台８が接地している。
【００２０】
そして、背凭れ部２には、被施療者の頭部、頸部、背部、臀部などに対して押圧等のマッサージを行うために、被施療者の手元で操作できる遠隔制御装置などの制御装置等により、背凭れ部２の中央を電動で上下に移動させることができる背部施療子７を有している。そして、制御装置に内蔵された種々のプログラムによって、マッサージ箇所、マッサージの強度、マッサージの仕方、施療時間などを調整することができる。
【００２１】
そして、肘掛け部５、脚載置部６には、図示しないエアーバッグなどの施療具が設けられており、制御装置に内蔵された種々のプログラムによって、背凭れ部２に設けられた背部施療子７と連動して、又は独立して、肘掛け部５に設けられた施療具によって被施療者の左右の上腕、下腕、手などを複合的にマッサージし、また、脚載置部６に設けられた施療具によって被施療者の左右の腿、脛、足などを複合的にマッサージすることができる。
【００２２】
また、脚載置部６が座部１の前方に設けられているために、制御装置に内蔵された種々のプログラムによって、自動で又は手動で座部１に対して回動することができる。例えば、背凭れ部２が立設しているときには、図１に示すように、脚載置部６を座部１に対して略直角になるようにし、背凭れ部２が傾倒しているときには、図５に示すように、脚載置部６を座部１に対して略直角に位置するようにすることもできるし、座部１に対して略水平となるように位置することもできる。
【００２３】
そして、図２から図７に示すように、図１の状態から座部１、背凭れ部２、肘掛け部５、基台８などの外装カバー、背部施療子７などの施療具等を取り外した状態では、被施療者が着座する座部１の骨格となる座フレーム１１と、座部１に対し立設又は傾倒する背凭れ部２の骨格となる背フレーム２１と、座フレーム１１と背フレーム２１との間に、座フレーム１１及び背フレーム２１に対して回動可能に設けられた連結フレーム４と、連結フレーム４の被施療者側に設けられた施療部３を備えている。そして、座フレーム１１と背フレーム２１などの土台となる基台フレーム８１が基台８に内蔵されて接地している。そして、背フレーム２１を傾倒又は立設する伸縮機構９が座フレーム１１の下方に設けられている。
【００２４】
座フレーム１１は、被施療者が着座する座部１の骨格となる部材である。座フレーム１１は、角型鋼管を複数用いて矩形状に形成され、座レール１２に対して前後方向に移動する座レール移動部材１３・１３に固設されており、座レール１２に対して前後方向に移動することができる。また、座フレーム１１において、複数の角型鋼管に囲まれた開口に板状の部材である座板１４が設けられている。これら座フレーム１１、座板１４などを覆うようにクッション性のある弾性部材や保護カバー、さらにはエアーバッグなどの施療具等を設けて座部１が形成される。
【００２５】
座レール１２は、基台フレーム８１に固設され前後方向に架け渡された角型鋼管が用いられた部材であり、座フレーム１１の左右両側に設けられている。そして、座レール移動部材１３は、座フレーム１１の左右両側に設けられ、内部に球、楕円球、円板などの回転部材を有し、それら回転部材が座フレーム１１と当接することにより、座レール１２に対して、前後方向に移動することができる。
【００２６】
背フレーム２１は、被施療者が座部１に着座したときに凭れかかり、被施療者の背中が当接する背凭れ部２の骨格となる部材である。背フレーム２１は、鋼等からなる金属製部材を組んで構成され、上下方向に延び左右両側にある立設材２２・２２と、これら立設材２２の上端側に左右方向に架け渡される橋架材２３を有する。そして、立設材２２の外側の側面に立設材２２とスライド可能な固定部材２４が、基台フレーム８１の垂直材８１２と回動可能に設けられており、固定部材２４により背フレーム２１は基台フレーム８１に支持されている。
【００２７】
そして、背フレーム２１の下端側には、座フレーム１１と接続されている連結フレーム４と回動可能に連結されている。また、背フレーム２１において、立設材２２、橋架材２３に囲まれた開口に、図１に示した背部施療子７を含む施療ユニットが設けられ、立設材２２、橋架材２３、背部施療子７を含む施療ユニットなどを覆うようにクッション性のある弾性部材や保護カバーを設けて背凭れ部２が形成される。
【００２８】
施療部３は、座フレーム１１と背フレーム２１との間に位置し、背フレーム２１の傾倒に伴い、被施療者側に上昇し、被施療者をマッサージする部材である。そして、図２から図７に示すように、施療部３は、座フレーム１１と背フレーム２１との間に、座フレーム１１及び背フレーム２１に対して回動可能に設けられた連結フレーム４の被施療者側に、板状の施療部支持台３２を介して設けられている。本実施形態において、施療部３は、給気排気装置に繋がれ、膨張及び収縮が可能であるエアーバッグとして構成されており、さらにエアーバッグの被施療者側には半球状の突出部３１が設けられ、施療部支持台３２に２個並設されている。本実施形態において、施療部３に突出部３１が設けられているが、他の実施形態において他の形状の突出部が設けられることができ、また、突出部を設けないようにすることもできる。さらに、本実施形態において、施療部３が施療部支持台３２に２個並設されているが、他の実施形態において、３、４、５、６個など複数個設置することもできる。２個以上の複数個の施療部３が並設されていると、被施療者の腰部、臀部などに対して複雑で効果的なマッサージを行うことができる。
【００２９】
また、本実施形態において、施療部３として膨張及び収縮が可能であるエアーバッグが設けられているが、他の実施形態において、電力により駆動する偏心モーターなどを備えることにより、被施療者に振動を与える振動器、また、同様に電力により駆動し、背部施療子７のような略球形状などの形状を有し被施療者を押圧する一対の施療子などを用いることができる。また、膨張及び収縮を反復可能であるエアーバッグ、被施療者に振動を与える振動器、被施療者を押圧する施療子を、単独で、又は２つ以上組み合わせて用いることもできる。
【００３０】
連結フレーム４は、座フレーム１１と背フレーム２１との間に、座フレーム１１及び背フレーム２１に対して回動可能に設けられた部材である。連結フレーム４により、背フレーム２１が傾倒したときには、座フレーム１１が前方に移動し、背フレーム２１が立設したときには、座フレーム１１が後方に移動することができる。連結フレーム４は、角型鋼管を座フレーム１１の後方側、すなわち、背フレーム２１側と、背フレーム２１の下端側に左右両側に２本前後方向に回動軸４１で軸支されることにより、座フレーム１１及び背フレーム２１に対して回動可能となっている。
【００３１】
肘掛けフレーム５１は、被施療者の腕を載置する肘掛け部５の土台となる部材である。肘掛けフレーム５１は、角型鋼管を、座レール１２と略平行となるように座レール１２の上方に基台フレーム８１に固設されている。肘掛けフレーム５１に対して前後方向に移動する肘掛けフレーム移動部材５２に固設されており、肘掛けフレーム５１に対して前後方向に移動することができる。図２〜図７において、肘掛けフレーム移動部材５２が、被施療者が着座したときの左手側にしか設けられていないが、右手側のものは省略している。そして、肘掛けフレーム移動部材５２は、左右両側の肘掛けフレーム５１・５１に設けられ、内部に球、楕円球、円板などの回転部材を有し、それら回転部材が肘掛けフレーム５１と当接することにより、肘掛けフレーム５１に対して、前後方向に移動することができる。
【００３２】
また、肘掛けフレーム移動部材５２に、被施療者の腕を挟持することができる複数対のエアーバッグなどが設けられている腕支持体を設け、これら肘掛けフレーム移動部材５２、腕支持体などを覆うようにクッション性のある弾性部材や保護カバー等を設けて肘掛け部５が形成される。
【００３３】
基台フレーム８１は、角型鋼管を組んで構成され、椅子式マッサージ機の接地面近くに位置し前後方向に延び左右両側にある２本の基底材８１１と、これら規定材８１１の上に立設される複数本ずつの垂直材８１２と、これら垂直材８１２の中央近傍に左右方向に延びるように架け渡される横架材８１３とを有する。
【００３４】
これら基底材８１１、垂直材８１２、横架材８１３などを覆うようにクッション性のある弾性部材や保護カバー等を設けて基台８が形成される。
【００３５】
伸縮機構９は、背フレーム２１を傾倒又は立設する部材である。伸縮機構９は、一方の部材を他方の部材に内包することに伸び縮みする伸縮棒９１と、伸縮棒９１を伸び縮みささせるモーター９２などからなる。伸縮棒９１の一端は、基台フレーム８１を構成する横架材８１３と軸支され回動可能に接続されており、伸縮棒９１の他端は、背フレーム２１の下端側と軸支され回動可能に接続されている。モーター９２は、電源装置や制御装置などと接続され、電源装置から供給される電力を用いて、制御装置から伝達される信号によって、伸縮棒９１の伸び縮みの制御を行う。
【００３６】
次に、これらの一連の動作について説明する。
【００３７】
図２から図４に示す背フレーム２１が、基台フレーム８１に対して立設している状態において、図４に示すように、座フレーム１１及び背フレーム２１に対して回動可能に設けられた連結フレーム４の被施療者側に、板状の施療部支持台３２を介して設けられた施療部３は、座フレーム１１、座板１４に対して傾斜しており被施療者の臀部や腰部とは隙間が生じる為に被施療者とは当接していない位置に退避している。
【００３８】
そして、被施療者の手元で操作できる遠隔制御装置などの制御装置等により、内蔵された所定のプログラムを選択すると、制御装置から伝達される信号によって、伸縮機構９を構成するモーター９２が作動して伸縮棒９１が縮むように制御される。そうすると、伸縮棒９１の他端と回動可能に接続されている背フレーム２１の下端側が前方に引っ張られるため、背フレーム２１は、背フレーム２１とスライド可能な固定部材２４を介して、固定部材２４が基台フレーム８１を構成する垂直材８１２と回動可能に固定されている箇所を中心として、背フレーム２１の上端側が下方に倒れる。また、背フレーム２１の下端側が前方に引っ張られることにより、背フレーム２１の下端側に接続されている連結フレーム４を介して、座フレーム１１が前方に押し出されて、座フレーム１１、連結フレーム４、背フレーム２１が、直線状あるいは曲線状に滑らかに並ぶ。背フレーム２１が傾倒し終えた状態が、図５から図７に示した状態である。
【００３９】
背フレーム２１が傾倒され、座フレーム１１が前方に移動するときに、連結フレーム４に施療部支持台３２を介して設けられた施療部３は、上方に起き上がるように傾斜しながら上昇する。そして、背フレーム２１が傾倒し終えたときに、図７に示すように、座フレーム１１、連結フレーム４、背フレーム２１が、直線状あるいは曲線状に滑らかに並ぶため、連結フレーム４に設けられた施療部３は、被施療者の臀部や腰部に当接することとなる。このため、背フレーム２１が立設しているときに、背施療子７によりマッサージされていた臀部や腰部などの施療部分を、背フレーム２１が傾倒し座フレーム１１が前方に移動したときにおいても、施療部３により適切にマッサージすることができる。
【００４０】
そして、逆に、図５から図７に示した背フレーム２１が傾倒している状態において、被施療者の手元で操作できる遠隔制御装置などの制御装置等により、内蔵された所定のプログラムを選択すると、制御装置から伝達される信号によって、伸縮機構９を構成するモーター９２が作動して伸縮棒９１が伸びるように制御される。そうすると、伸縮棒９１の他端と回動可能に接続されている背フレーム２１の下端側が後方に押されるため、背フレーム２１は、固定部材２４が基台フレーム８１を構成する垂直材８１２と回動可能に固定されている箇所を中心として、背フレーム２１の上端側が上方に起き上がる。
【００４１】
そして、背フレーム２１の下端側が後方に押されることにより、背フレーム２１の下端側に接続されている連結フレーム４を介して、座フレーム１１が後方に引き戻されて、座フレーム１１、連結フレーム４、背フレーム２１が、折れまがった状態に並ぶ。背フレーム２１が立設され、座フレーム１１が後方に押されるときに、連結フレーム４に施療部支持台３２を介して設けられた施療部３は、下方に倒れるように傾斜して下降する。そして、背フレーム２１が立設し終えたときに、図４に示すように、座フレーム１１、連結フレーム４、背フレーム２１が、折れまがった状態で並ぶため、連結フレーム４に設けられた施療部３は、被施療者の臀部や腰部に当接しない位置に退避することとなる。
【符号の説明】
【００４２】
１・・・座部
１１・・座フレーム
１２・・座レール
１３・・座レール移動部材
１４・・座板
２・・・背凭れ部
２１・・背フレーム
２２・・立設材
２３・・橋架材
２４・・固定部材
３・・・施療部
３１・・突出部
３２・・施療部支持台
４・・・連結フレーム
４１・・回動軸
５・・・肘掛け部
５１・・肘掛けフレーム
５２・・肘掛けフレーム移動部材
６・・・脚載置部
７・・・背部施療子
８・・・基台
８１・・基台フレーム
８１１・基底材
８１２・垂直材
８１３・横架材
９・・・伸縮機構
９１・・伸縮棒
９２・・モーター
【図１】
0006436387.tif 000002
【図２】
0006436387.tif 000003
【図３】
0006436387.tif 000004
【図４】
0006436387.tif 000005
【図５】
0006436387.tif 000006
【図６】
0006436387.tif 000007
【図７】
0006436387.tif 000008